(57)【要約】  外科用縫合構造、縫合糸アンカーアセンブリ、及び組織固定の方法が開示される。縫合構造は、凹凸のある縫合糸を含む。縫合構造は、遠位端に１つ以上の小ループを含み得る。縫合構造は、近位端におけるテーパ状の部分／領域に終端する接合部を含み得る。縫合構造の凹凸のある縫合糸は、組織の周りに無結節の閉じた自己係止ループを形成し得る。【選択図】図１
2021530317.tif 000002
【特許請求の範囲】
【請求項１】
縫合構造であって、
第１の端部と、テーパ状の端部部分の形態における第２の端部とを有する芯なし縫合糸と、
複数の拡大部を有する内側フィラメントと、前記内側フィラメント及び前記複数の拡大部は前記芯なし縫合糸によって完全に覆われている、
を備える、縫合構造。
【請求項２】
前記複数の拡大部は、前記芯なし縫合糸の外側表面を貫通しない、請求項１に記載の縫合構造。
【請求項３】
前記複数の拡大部は、棘、結節、ビーズ、突起部、又はこれらの組合せである、請求項１に記載の縫合構造。
【請求項４】
前記複数の拡大部は、前記縫合構造の係止を可能にする、請求項１に記載の縫合構造。
【請求項５】
前記複数の拡大部の各々は、前記内側フィラメントの外径よりも大きい外径を有する、請求項１に記載の縫合構造。
【請求項６】
前記複数の拡大部の各々は、前記芯なし縫合糸の外径よりも大きい外径を有する、請求項１に記載の縫合構造。
【請求項７】
前記芯なし縫合糸は、編み合わされた超高分子量ポリエチレンの撚糸で形成された芯なし編組又はシースである、請求項１に記載の縫合構造。
【請求項８】
前記芯なし縫合糸は、ポリエステル糸で形成された芯なし編組又はシースである、請求項１に記載の縫合構造。
【請求項９】
前記第１の端部に係止機構を更に備える、請求項１に記載の縫合構造。
【請求項１０】
前記芯なし縫合糸は、前記第１の端部に閉じたループが設けられている、請求項１に記載の縫合構造。
【請求項１１】
前記閉じたループは、接合部及び前記閉じたループを形成するために、前記第１の端部を前記芯なし縫合糸に通して接合することによって形成される、請求項１０に記載の縫合構造。
【請求項１２】
前記閉じたループは、ラッキングヒッチループである、請求項１０に記載の縫合構造。
【請求項１３】
前記閉じたループに取り付けられたシャトリングデバイスを更に備える、請求項１０に記載の縫合構造。
【請求項１４】
前記シャトリングデバイスは、ニチノールループである、請求項１３に記載の縫合構造。
【請求項１５】
前記テーパ状の端部部分は、３つの異なる幅を有する、請求項１に記載の縫合構造。
【請求項１６】
前記芯なし縫合糸上に設けられたコーティングを更に備える、請求項１に記載の縫合構造。
【請求項１７】
前記コーティングは、シリコンコーティング又はコラーゲンコーティングである、請求項１６に記載の縫合構造。
【請求項１８】
前記芯なし縫合糸は、無結節固定デバイスの少なくとも１つのアイレットを通る、請求項１に記載の縫合構造。
【請求項１９】
前記無結節固定デバイスは、スイベルアンカー又はプッシュロックアンカーである、請求項１８に記載の縫合構造。
【請求項２０】
前記無結節固定デバイスは、アンカー本体と、前記アンカー本体に回転可能に取り付けられたアンカー先端部とを備え、前記アンカー本体は、前記固定デバイスを骨内に留めるために、前記アンカー先端部上に挿入されるように構成されている、請求項１８に記載の縫合構造。
【請求項２１】
前記アンカー本体は、カニューレ状干渉螺子である、請求項２０に記載の縫合構造。
【請求項２２】
前記芯なし縫合糸は、アンカー本体に結合される、請求項１に記載の縫合構造。
【請求項２３】
前記アンカー本体は、軟質である、請求項２２に記載の縫合構造。
【請求項２４】
前記アンカー本体は、硬質である、請求項２２に記載の縫合構造。
【請求項２５】
軟組織の固定の方法であって、
外科用構造のテーパ状の端部を、軟組織に通し、前記外科用構造の前記テーパ状の端部とは反対側の端部におけるループに通すことと、前記外科用構造は、前記ループを形成する外側ストランドと、完全に前記外側ストランド内に位置する内側ストランドとを備え、ここにおいて、前記内側ストランドには、前記内側ストランドの外径よりも大きい外径を有する複数の拡大部が設けられており、
前記組織の周りに無結節の調節可能なループを形成し、前記複数の拡大部のうちの少なくとも１つを前記ループ内に係止するために、前記テーパ状の端部を引っ張ることと、
を備える方法。
【請求項２６】
前記テーパ状の端部を無結節固定デバイスに取り付けることと、前記無結節固定デバイスと前記テーパ状の端部を固定することと、を更に備える、請求項２５に記載の方法。
【請求項２７】
前記外側ストランドは、芯なし縫合糸である、請求項２５に記載の方法。
【請求項２８】
前記テーパ状の端部を、前記ループに取り付けられたシャトリングデバイスのアイレットに通すことと、前記テーパ状の端部が前記ループを通ることを可能にするために、前記シャトリングデバイスを引っ張ることと、を更に備える、請求項２５に記載の方法。
【請求項２９】
前記軟組織は、回旋腱板である、請求項２５に記載の方法。
【発明の詳細な説明】
【背景技術】
【０００１】
[0001]本開示は、手術の分野に関し、より詳細には、改善された縫合糸及び組織固定の方法に関する。
【発明の概要】
【０００２】
[0002]組織の無結節固定のための縫合構造（suturing constructs）及び方法が開示される。
【０００３】
[0003]縫合構造は、凹凸のある縫合糸を含み得る。縫合構造は、遠位端に１つ以上の小ループを含み得る。縫合構造は、近位端におけるテーパ状の部分／領域に終端する接合部（splice）を含み得る。縫合構造の凹凸のある縫合糸は、組織の周りに無結節の閉じた自己係止ループを形成し得る。
【０００４】
[0004]組織の固定は、組織（例えば、骨又は軟組織）の周り又はその中に通される少なくとも１つの縫合構造を使用することによって達成される。縫合構造は、組織の周りでの閉じた無結節の自己係止ループの形成と、デバイスの係止とを可能にする、凹凸のある縫合糸を含み得る。縫合構造は、追加の固定デバイス（１つ以上の縫合糸アンカー等）を用いて骨内に留められ（secured）得る。縫合構造は、軟質アンカー又は硬質アンカーと共に用いられ得る。この構造は、無結節又は有結節の固定デバイスと共に用いられ得る。組織固定は、全体的に低減されたステップ及び結節を結ぶ最小限の必要性で達成される。
【図面の簡単な説明】
【０００５】
【図１】[0005]図１は、例示的な縫合構造を示す。
【図２】[0006]図２は、別の例示的な縫合構造を示す。
【図３】[0007]図３は、別の例示的な縫合構造を示す。
【図４】[0008]図４は、図１の例示的な縫合構造の内側ストランドを示す。
【図５】[0009]図５は、図１の例示的な縫合構造の別の図を示す。
【図６】[0010]図６は、図５の縫合構造を用いた無結節修復の例示的な方法の後続ステップを示す。
【図７】図７は、図５の縫合構造を用いた無結節修復の例示的な方法の後続ステップを示す。
【図８】[0011]図８は、例示的な縫合構造を用いて無結節ループを形成する概略ステップを示す。
【図９】[0012]図９は、縫合構造を用いて無結節の閉じた自己係止ループを形成する例示的な方法の後続ステップを示す。
【図１０】図１０は、縫合構造を用いて無結節の閉じた自己係止ループを形成する例示的な方法の後続ステップを示す。
【図１１】図１１は、縫合構造を用いて無結節の閉じた自己係止ループを形成する例示的な方法の後続ステップを示す。
【図１２】[0013]図１２は、縫合構造を用いた無結節修復の例示的な方法の後続ステップを示す。
【図１３】図１３は、縫合構造を用いた無結節修復の例示的な方法の後続ステップを示す。
【図１４】図１４は、縫合構造を用いた無結節修復の例示的な方法の後続ステップを示す。
【図１５】図１５は、縫合構造を用いた無結節修復の例示的な方法の後続ステップを示す。
【図１６】[0014]図１６は、別の例示的な縫合構造を示す。
【図１７】[0015]図１７は、図１６の例示的な縫合構造のセクションＡの拡大図を示す。
【図１８】[0016]図１８は、シャトリングデバイスを有する図１の例示的な縫合構造の別の図を示す。
【図１９】[0017]図１９は、縫合構造を用いた肩修復を示す。
【図２０】図２０は、様々な例示的な縫合糸アンカーアセンブリのうちの１つを示す。
【図２１】図２１は、様々な例示的な縫合糸アンカーアセンブリのうちの１つを示す。
【図２２】図２２は、様々な例示的な縫合糸アンカーアセンブリのうちの１つを示す。
【図２３】図２３は、様々な例示的な縫合糸アンカーアセンブリのうちの１つを示す。
【図２４】図２４は、様々な例示的な縫合糸アンカーアセンブリのうちの１つを示す。
【図２５】[0019]図２５は、第１の組織を第２の組織に留める図２０の縫合糸アンカーアセンブリを示す。
【図２６】[0020]図２６は、第１の組織を第２の組織に留める図２３の縫合糸アンカーアセンブリを示す。
【図２７】[0021]図２７は、例示的な軟質の縫合糸アンカーアセンブリを示す。
【図２８】[0022]図２８は、別の例示的な縫合糸アンカーアセンブリを示す。
【発明を実施するための形態】
【０００６】
[0023]本開示は、組織の固定、例えば、軟組織の骨への固定のための方法及び縫合構造を提供する。
【０００７】
[0024]軟組織の固定のための縫合構造、縫合糸アンカーアセンブリ、及び方法が開示される。縫合構造は、縫合糸と修復部とを係止する凹凸のある縫合糸を含み得る。縫合構造は、遠位端に１つ以上の小ループ又は開口を含み得る。縫合構造は、近位端におけるテーパ状の部分／領域に終端する接合部を含み得る。縫合構造は、軟質の縫合糸アンカー又は硬質本体のアンカー（hard-body anchor）（固定デバイス）に予め装填され得る。
【０００８】
[0025]凹凸のある縫合糸は、芯なし縫合糸に芯として追加される一連の隆起部（bumps）、棘（barbs）、結節、ビーズ、突起部（protuberances）、突出部、突条部（ridges）、又は同様の構造（又はこれらの組合せ）であり得る複数の拡大部を含み得る。拡大部は、内側フィラメントに沿って、一連の隆起部（チェーン）として設けられ得るか、及び／又は結節され得る。縫合糸は、浴室排水チェーンと同様の、定義された間隔で固定された結節、ビーズ、及び／又はラチェットを有する芯縫合糸（内側フィラメント）の中心ストランドから成り得る。ラチェットは、対称又は非対称であり得、シンチ（cinch）に向かってテーパ状の端部を有する。拡大部を有する内側フィラメントは、凹凸のある芯を有する縫合糸を形成するために、芯なし縫合糸内に設けられ得る（例えば、芯なし縫合糸内に挿入される）。隆起部は、少なくとも１つのラチェット点を設けるための、結節された隆起部であり得る。拡大部は、芯なし縫合糸（外側シース）によって覆われた内側ストランド又はフィラメントの一部であり得る。
【０００９】
[0026]凹凸のある縫合糸の一方の端部にループが設けられ得る。凹凸のある縫合糸は、組織の周りにラッキングヒッチ（シンチ結節）を形成するために用いられ得る。凹凸のある縫合糸は、組織の周りに無結節の閉じた自己係止ループを形成するために用いられ得る。縫合構造の拡大部は、一旦閉じたループが形成されると、縫合構造が摺動して戻る（逆戻りする（backing up））のを防止する。接合部分には、縫合糸の遠位端におけるループ付近の一方の側に複数の拡大部が設けられ得る。
【００１０】
[0027]軟組織の固定は、ニチノールワイヤループ又は同様のデバイスを必要とせずに、組織の周り又はその中に通される少なくとも１つの縫合構造を使用することによって達成される。構造のテーパ状の部分／領域は、縫合糸構造が組織に通された後に取り出されること（to be retrieved）を可能にする。ラッキングヒッチ又はシンチステッチの形成、及び／又は、ループ付近の拡大部分との係止の後、縫合糸構造は、追加の固定デバイス（例えば、１つ以上の縫合糸アンカー等）を用いて骨内に留められ得る。この構造は、無結節又は有結節の固定デバイスと共に用いられ得る。組織固定は、全体的に低減されたステップ及び結節を結ぶ最小限の必要性で達成される。
【００１１】
[0028]一実施形態によれば、縫合構造は、芯なし縫合糸に芯として追加される一連の隆起部、棘、結節、ビーズ、突起部、又は同様の構造（又はこれらの任意の組合せ）の形態での拡大部を有する縫合糸を含み得る。拡大部は、内側フィラメントに沿って、一連の隆起部（チェーン）として設けられ得るか、及び／又は結節され得る。
【００１２】
[0029]縫合構造は、浴室排水チェーンと同様の拡大部（即ち、定義された間隔で固定された結節、ビーズ、棘、及び／又はラチェット）を有する芯縫合糸の中心ストランドから成り得る。ラチェットは、対称又は非対称であり得、シンチに向かってテーパ状の端部を有する。拡大部を有する内側フィラメントは、凹凸のある芯を有する縫合糸を形成するために、芯なし縫合糸内に挿入され得る。拡大部は、少なくとも１つのラチェット点を設けるための、結節された隆起部であり得る。拡大部は、芯なし縫合糸（外側シース）によって完全に覆われた内側ストランドの一部である。拡大部は、芯なし縫合糸より厚みがあり、即ち、拡大部は、芯なし縫合糸のものよりも大きい外径を有する。
【００１３】
[0030]一実施形態によれば、接合部分には、縫合糸の遠位端におけるループ付近の一方の側に複数の拡大部が設けられ得る。縫合糸尾部を軟組織に通した後、それをループに戻して通して、装填するために、装填器具がループに予め通される。一旦縫合糸が軟組織に通されると、尾部は、テーパ状の端部を折り返し、それをシャトリングしてループに通すことによって、装填器具を使用してループに通される。次いで、縫合糸は、それが最後まで（all the way down）引き締められるまで引っ張られる（pulled through）。縫合糸が引き締められるにつれて、芯なし縫合糸より厚みのある拡大部がループ内へと引き込まれ、縫合糸が逆戻りするのを防止する。
【００１４】
[0031]別の実施形態によれば、縫合構造は、その遠位端において１つ以上の小ループ又は開口を有する可撓性ストランドと、テーパ状の近位端（テーパ状の尾部）と、小ループとテーパ状の近位端との間に設けられた接合領域とを含み得る。接合領域には、縫合糸の遠位端において、芯なし縫合糸内の複数の拡大部（芯なし縫合糸によって完全に覆われている）が設けられている。拡大部は、任意の結節、ビーズ、隆起部、突出部、突起部、若しくは同様の要素、又はこれらの組合せであり得る。拡大部は、当技術分野で知られている任意の方法、例えば、結節すること、編組すること(braiding)、製織すること（weaving）、又は接着すること、一連のビーズを糸上に設けること、一連のビーズ又は同様の要素を糸に取り付けること等によって形成され得る。
【００１５】
[0032]一実施形態では、縫合構造は、芯なし縫合糸に芯（凹凸のある芯）として加えられる一連の拡大部を含む。拡大部は、内側フィラメントに沿って、結節されるか、又は一連の隆起部（チェーン）として設けられるか、又は一連の一方向性の棘若しくは同様の構造として設けられ得る。拡大部及び／又は内側フィラメントは、様々な材料、例えば、特に、金属若しくはプラスチック、又は縫合糸材料で形成され得る。拡大部を有する内側フィラメントは、凹凸のある芯を有する縫合糸を形成するために、芯なし縫合糸内に設けられる（例えば、芯なし縫合糸内に挿入される）。
【００１６】
[0033]拡大部は、例えば、当技術分野で知られている多くの他の形状の中でも特に、円形、三角形、楕円形（oval）、又は円筒形の断面の、様々な設計及び／又は構成を有し得る。拡大部は、内側フィラメントの全長に沿って様々な位置に設けられ得る。拡大部は、内側フィラメントの全長に沿って様々な方向に設けられ得、例えば、２方向拡大部又は多方向拡大部である。拡大部は、一方向性の棘として設けられ得る。
【００１７】
[0034]更に別の実施形態では、縫合構造は、浴室排水チェーンと同様の、定義された間隔で固定された「ラチェット」を有する芯縫合糸の中心ストランドから成り得る。ラチェットは、（以下に詳述されるように）シンチに向かってテーパ状の端部を有して非対称であり得る。適切に定義されたワーキングディスタンス長（working distance length）の後、縫合糸は、有芯＃２  ＦｉｂｒｅＷｉｒｅ（登録商標）と同じになり、次いで、シンチ機構における装填と、接合部及び接合部形成機構を有する無結節の縫合糸構造の形成とを容易にするために、より細い（smaller）２．０  ＦｉｂｅｒＷｉｒｅ（登録商標）までテーパ状にされる。一旦縫合糸が軟組織に通されると、尾部（テーパ状の端部）は、それをシャトリングして小さい穴／開口部に通すことによって、遠位端における小さい穴／開口部に通される。次いで、縫合糸は、それが最後まで引き締められるまで引っ張られる。縫合糸が引き締められるにつれて、より厚みのある隆起部／ラチェットが小さい穴／開口部に係合し、張力がかかった状態で縫合糸を係止し、縫合糸が逆戻りしたり緩んだりするのを防止する。
【００１８】
[0035]テーパ状の縫合糸尾部を軟組織に通した後、それをループに戻して通して、装填するために、シャトリングデバイスがループに予め装填され得る。可撓性芯なしストランドは、縫合糸、テープ、ワイヤ、又は当技術分野で知られている任意の可撓性材料であり得る。シャトリングデバイスは、縫合糸通し器具、縫合糸パッサー（suture passer）、シャトル／引張りデバイス、装填器具、シャトリングワイヤ、又はＦｉｂｅｒＬｉｎｋ（商標）若しくはニチノールループ等の任意の通し器具であり得る。中心の芯は、縫合糸、テープ、ワイヤ、又は当技術分野で知られている任意の可撓性材料であり得る。中心の芯は、可撓性又は剛性であり得る。
【００１９】
[0036]一旦可撓性ストランドが軟組織に通されると、テーパ状の尾部は、テーパ状の端部を折り返し、それをシャトリングしてループに通すことによって、シャトリングデバイスのループに通される。次いで、可撓性ストランドは、それが最後まで引き締められるまで引っ張られる。可撓性ストランドが引き締められるにつれて、より厚みのある接合部分からの拡大部がループ内に引き込まれ、可撓性ストランドが逆戻りするのを防止する。
【００２０】
[0037]可撓性ストランドは、標準的な編組芯なし縫合糸であり得、テーパ状であり得、その全長にわたって３つの例示的な変化する幅を含み得、突条部又は隆起部を作るために、縫合糸の部分のうちの１つにおいて、１つ以上の拡大部／突起部を有する。縫合糸には、例えば、拡大部（突条部／隆起部／突起部／結節）が係合するまで、縫合糸が通って引っ張られることを可能にし、張力がかかった状態で縫合糸を係止するための、１つ以上の小ループ、アイレット（eyelets）、開口部、スリット等の係止機構が設けられ得る。
【００２１】
[0038]ループは、テーパ状の端部及び接合領域の一部が、軟組織の周りにシンチステッチを作るために、それを通り抜け、次いで、ループに係止することを可能にするのに十分な大きさである。可撓性ストランドは、拡大部を有する内側フィラメントの挿入を可能にするために芯なしであり得、又は、ある特定の用途では、芯なしストランドの一部が芯を有し得る。ループは、接合（splicing）によって、又は当技術分野で知られている他の方法、例えば、編組、製織、又は接着によって形成され得る。
【００２２】
[0039]別の実施形態では、縫合糸ジップタイが、内側の芯を収容する（完全に覆う）芯なし縫合糸又は編組ジャケットを含み、内側の芯は、拡大部（結節／ビーズ／棘等）を有するより小さい縫合糸である。縫合糸は、少なくとも１つのラッキングヒッチの形成を可能にするために、ループで終端し得る。拡大部は、ラッキングヒッチがスリップしないようにするためのラチェット点を提供する。
【００２３】
[0040]次に、同様の要素が同様の参照番号によって示される図面を参照すると、図１〜図１９は、本開示の例示的な縫合構造１００、２００、３００、４００（縫合糸１００、２００、３００、４００；縫合糸構造１００、２００、３００、４００；側々無結節縫合糸（side-to-side knotless suture）１００、２００、３００、４００；無結節閉鎖縫合糸１００、２００、３００、４００）を示す。図２０〜図２８は、第１の組織の第２の組織への固定のために用いられる縫合糸アンカーアセンブリ１１１、１１２、１１３、１１４、１１５、１１６、１１７の一部としての縫合構造１００、２００、３００、４００を示す。
【００２４】
[0041]以下に詳述されるように、縫合構造１００、２００、３００、４００の各々は、芯縫合糸の中心ストランド５０（第１のストランド又はフィラメント；内側ストランド）と、中心ストランドを覆う縫合糸の外側ストランド１０（第２のストランド又はフィラメント；外側ストランド；芯なし縫合糸）とを含む。中心ストランド５０は、複数の拡大部５５、１５５、２５５、３５５を含む。一実施形態では、外側ストランド１０は、少なくとも２つの方向、即ち、縦方向及び横方向において、中心ストランド５０と拡大部５５、１５５、２５５、３５５とを完全に覆っている。
【００２５】
[0042]拡大部５５、１５５、２５５、３５５は、隆起部、結節、ビーズ、棘、突出部、若しくは突起部、又はこれらの任意の組合せを含み得る。拡大部５５、１５５、２５５、３５５は、例えば、当技術分野で知られている多くの他の形状の中でも特に、円形、楕円形、又は円筒形の、様々な設計及び／又は構成を有し得る。拡大部は、１本の（a length of）内側フィラメント５０（中心ストランド５０）に沿って様々な位置に設けられ得る。拡大部は、内側フィラメント５０の所定の長さに沿って（即ち、中心ストランド５０の全長の一部のみに沿って）様々な位置に設けられ得る。拡大部は、内側フィラメントの全長に沿って様々な方向に設けられ得、例えば、２方向拡大部であって、第１の複数の拡大部がストランド５０の縦軸を基準に（relative to）第１の方向に方向付けられ、第２の複数の拡大部がストランド５０の縦軸を基準に第２の方向に方向付けられ、第１の方向が第２の方向とは異なっている、２方向拡大部である。拡大部は、中心ストランドの表面に対して任意の角度で、例えば、中心ストランドの外側表面の接線に対して４５度の角度で形成され得る。拡大部は、全てが同様であるか又は異なり得、即ち、同様の又は異なる形状、形態、及び構成を有し得る。拡大部は全て、同様の又は異なる材料で形成され得る。
【００２６】
[0043]図１は、本開示の単に例示的な実施形態を示し、ここで、縫合構造１００は、一般的な台形状を有し且つ略一定の間隔で、１本の中心ストランド５０に沿って延在する拡大部５５を有する中心ストランド５０を含む。拡大部５５は、内側ストランド５０の全長に沿って、又は内側ストランド５０の全長の一部のみに沿って延在し得る。外側縫合糸１０は、中心ストランド５０と拡大部５５とを覆う芯なし縫合糸（芯なしストランド）である。外側縫合糸１０は、拡大部５５を有する中心ストランド５０を、少なくとも横方向において完全に覆う芯なし縫合糸（芯なしストランド）であり、即ち、各拡大部５５の外側表面は、外側縫合糸１０によって完全に覆われている。好ましくは、外側縫合糸１０は、２つの方向、即ち、縦方向と横方向の両方向において、拡大部５５を有する中心ストランド５０を覆う。拡大部５５を有する中心ストランド５０は、（例えば、芯なし縫合糸１０内に挿入されることによって）芯なし縫合糸１０の内部空間／容積内に設けられ、（芯なし縫合糸１０が、挿入ステップ後は芯なしでなくなった状態で）縫合構造１００を形成し得る。一旦拡大部５５を有する内側ストランド５０が、外側ストランド１０内に設けられると、外側ストランド１０は「凹凸のある」手触りを得ることになり、これは、拡大部が、外側ストランド１０の外側表面を貫通することなく、外側ストランド１０の内側表面に沿って圧力を加えることになるからである。
【００２７】
[0044]図２及び図３は、拡大部１５５、２５５を有する縫合構造２００、３００を示し、これら拡大部は、それらもまた１本の縫合糸５０に沿って離間されており、且つ、外側シース１０によって完全に覆われているという点で、図１の拡大部５５と同様であるが、拡大部の形状が異なっている。例えば、拡大部１５５は、ビーズ又は球状構造の形態であり、一方、拡大部２５５は、涙滴状構造の形態である。拡大部２５５は、浴室排水チェーンと同様の、内側ストランド５０に沿って定義された間隔で固定された「ラチェット」である。ラチェットは、（以下に詳述されるように）シンチに向かってテーパ状の端部を有して非対称であり得る。適切に定義されたワーキングディスタンス長の後、縫合糸は、有芯＃２  ＦｉｂｒｅＷｉｒｅ（登録商標）と同じになり、次いで、シンチ機構における装填と、接合部及び接合部形成機構を有する無結節の縫合糸構造の形成とを容易にするために、より細い２．０  ＦｉｂｅｒＷｉｒｅ（登録商標）までテーパ状にされる。一旦縫合糸が軟組織に通されると、尾部（テーパ状の端部）は、それをシャトリングして小さい穴／開口部に通すことによって、遠位端における小さい穴／開口部に通される。次いで、縫合糸は、それが最後まで引き締められるまで引っ張られる。縫合糸が引き締められるにつれて、より厚みのある隆起部は、小さい穴／開口部に係合し、張力がかかった状態で縫合糸を係止し、縫合糸が如何なる方向に動くことも防止する。
【００２８】
[0045]図４〜図７は、中心ストランド５０（図４）に沿って延在する結節５５の形態での拡大部５５を有する縫合構造４００を示す。図４に示される内側の芯５０は、結節５５が設けられたより小さい（smaller）縫合糸である。芯なし縫合糸又は編組ジャケット１０（外側ストランド１０）は、内側の芯５０を覆う。外側ストランド１０は、図５に示される縫合構造１００を形成するために、結節５５を有する内側中心ストランド５０を完全に覆う。
【００２９】
[0046]拡大部の固定／干渉（interference）は、様々な方法で及び様々な係止構造を用いて達成され得る。例えば、図５〜図７に示されるように、例示的な縫合構造１００には、ラッキングヒッチ１６６を作るためのループ１１が設けられている。結節５５（結節隆起部５５）は、ラッキングヒッチがスリップするのを防止するためのラチェット点を提供する。図７は、ラッキングヒッチ１６６によって所定の位置に係止された、即ち、第２の組織８０（例えば、骨８０）に取り付けられた第１の組織９０（例えば、軟組織９０）の周りに形成されたループからスリップする又は抜け出すことができない拡大部５５を有する縫合構造１００を用いた最終的な修復の概略図を示す。
【００３０】
[0047]ループ１１は、縫合構造と一体的に形成されるか、又は縫合構造とは別個に形成され得る。ループ１１は、外側ストランド１０の一部であるか、代替として、内側ストランド５０の一部であり得る。更に別の実施形態では、ループ１１は、両方のストランド１０、５０の一部であり得る。追加の実施形態では、ループ１１は、当技術分野で知られている任意の方法によって縫合構造に（例えば、外側ストランド及び内側ストランドの一方又は両方に）取り付けられ得る。例えば、図２８は、例示的な構造１００に取り付けられ、更に、無結節固定デバイスの硬質本体にしっかりと取り付けられた例示的なループ１１ａを示す。更に別の実施形態では、外側ストランド１０は、小ループ１１（又は二重ループ）及び接合部を形成するために、それ自体に接合される。小ループ１１は、縫合糸ストランド１０と一体であり得る。
【００３１】
[0048]拡大部の固定／干渉は、他の方法、例えば、予め結ばれた結節、又はスリット、又は拡大部との間に緊密な干渉をもたらすであろう任意の「アイレット」等の、拡大部５５、１５５、２５５、３５５が係止され得る任意の方法で達成され得る。
【００３２】
[0049]図８は、例えば、外側ストランド１０の一部等の、構造１００の一部であり得る、構造Ａの予め結ばれた結節１６６に通される例示的な縫合構造１００を示す。予め結ばれた結節１６６は、拡大部（隆起部、ビーズ等）が「引っ掛かる（catch on）」ための干渉点である。構造Ａは、ラッキングヒッチ結節である。構造Ｂ及びＣは、（それらもまた、それを通る任意の拡大部／隆起部／ビーズが「引っ掛かる」という点で）構造Ａの予め結ばれた結節と同様であるが、異なる構成、即ち、スリット１０３（構造Ｂ）又は小さいアイレット１０４（構造Ｃ）を有する、更なる干渉点を提供する。
【００３３】
[0050]図９〜図１１は、本開示の構造で形成された、閉じた自己係止ループ９９の形成を示す。図９は、ラッキングヒッチ結節の形成を可能にする図５のループ１１の拡大図である。このヒッチは、縫合糸の端部に予め作られたループ１１から開始することによって、又は単一のストランドを２つに折り重ねること（doubling over）によって作られる。図１０において、（１つ又は複数の）尾部は、予め結ばれた結節１６６となり且つループ９９ａを形成する「荷札」型のシンチ結節を作るために、ループ１１に通される。
【００３４】
[0051]次に、図１１を参照すると、尾部は、予め結ばれたラッキング／シンチ結節１６６に通される。閉じた自己シンチング及び自己係止ループ９９が形成される。以下に詳述されるように、ループは、骨又は軟組織の周りに形成され得る。大ループがよりきつく組織に引き寄せられるほど、ラッキング／シンチ結節は、それを通る（１つ又は複数の）縫合糸の周縁部の周りをよりきつく締め付けることになる。これは、凹凸のある縫合糸が通る場所であるが、拡大部／隆起部が、（ジップタイのように）縫合糸が摺動して戻るのを防止することになる。拡大部／隆起部は、構造が「自己係止」状態になることを可能にし、縫合構造が如何なる方向に動くことも防止する。
【００３５】
[0052]図１２〜図１５は、本開示の構造を用いた組織固定の方法の後続ステップを示す。縫合構造１００は、第２の組織８０に取り付けられるべき第１の組織９０（例えば、骨８０に取り付けられるべき軟組織９０）に通される。図１３は、第１の組織９０に隣接するラッキング／シンチ結節を示す。尾部２５は、組織８０に取り付けられるべき組織９０の周りに、閉じた調節可能な自己係止の自己シンチングの無結節可撓性ループ９９を形成するために、ラッキング／シンチ結節に通される。
【００３６】
[0053]図１６及び図１７は、一方の端部１３（例えば、遠位端）に少なくとも１つの閉じた小ループ１５（例えば、２つの例示的な閉じた小ループ１５）が設けられ、他方の端部１２（例えば、近位端）にテーパ状の細長い部分／領域２５が設けられた可撓性ストランド１０の形態での構造４００の別の例示的な実施形態を示す。拡大部３５５が、前述の実施形態に関して上述されたように、構造４００の拡大部分（シンチセクション）１６５において設けられている。図１７は、図１６のセクション１６５の概略拡大図を示し、特定の構成、即ち、細長い涙滴形状を有する拡大部３５５を示す。拡大部３５５は、芯なし縫合糸ストランド１０によって完全に覆われており、その結果、拡大部３５５の各々の外側表面は、ストランド１０の内側表面によって完全に覆われている。
【００３７】
[0054]本開示の縫合構造１００、２００、３００、４００にはまた、シャトリングデバイス６０が設けられ得、これは、縫合構造の外側ストランド１０に取り付けられた閉じたループ又はアイレット６１を有する、縫合糸通し器具、装填器具、シャトリングワイヤ、又はＦｉｂｅｒＬｉｎｋ（商標）６０若しくはニチノールループ６０等の通し器具であり得る。
【００３８】
[0055]図１８に示されるように、シャトリングデバイス６０は、例示的な縫合構造１００の閉じたループ１１に予め装填される（閉じたループ１１に通される）。特定の単に例示的な実施形態では、シャトリングデバイス６０は、縫合糸通しデバイス６０である。シャトリングデバイス６０は、調節可能な長さ及び外周を有する無結節の閉じた調節可能なループ９９を形成するために、外側ストランド１０のテーパ状の部分２５が、シャトリングデバイス６０のアイレット又はループ６１を通り抜け、小ループ１１を通り抜けることを可能にするように構成される。ループ９９は、自己係止式及び自己シンチング式である。
【００３９】
[0056]縫合構造１００は、外側ストランド１０の遠位端１３におけるループ１１付近の一方の側に、即ち、部分６５（シンチセクション６５；接合部セクション６５）に又はその周りに位置し得る一連の拡大部５５を含む。拡大部（隆起部及び／又は棘及び／又は突条部及び／又は突起部）は、無結節係止のために外側ストランド１０（縫合糸１０）をでこぼこにする。一旦外側ストランド１０が軟組織に通されると、尾部２５は、テーパ状の端部２５を折り返し、それをシャトリングしてループ１１に通すことによって、装填器具６０を使用してループ６１に通される。次いで、可撓性ストランド１０は、それが最後まで引き締められるまで引っ張られる。可撓性ストランドが引き締められるにつれて、拡大部を有する、より厚みのある拡大部によりでこぼこにされた部分（the thicker enlargement roughened portion）６５が、ループ１１内に引き込まれ、可撓性ストランド１０が逆戻りするのを防止する。このようにして、可撓性の閉じた調節可能なループ９９は、拡大部５５とループ１１の内側表面との係合によって係止される。
【００４０】
[0057]例示的な実施形態では、ループ１１は、尾部２５がこのループを通り抜け、閉じた無結節の調節可能なループ９９を形成することを可能にするために、非常に短い長さ及び／又は外周を有する。ループ１１は、約１０ｍｍの長さを有し得る。テーパ状の部分／領域２５は、約２〜３インチの長さを有する。縫合糸構造の全長は、約３〜１０インチ、好ましくは約５インチ（関節唇の関節窩への取り付けを伴う例示的な回旋腱板修復の場合）であり得る。ループ部分は、（好ましい実施形態では）接合によって形成されるが、それはまた、当技術分野で知られている他の方法によって、例えば、編組、製織、又は接着によって形成され得る。ループ１５は、可撓性、収縮可能（collapsible）であり得、約１０ｍｍの固定周囲を有し得る。
【００４１】
[0058]上述されたように、ループ１１はまた、ラッキングヒッチループであり得る。尾部２５は、例えば、図１０に示されるように、可撓性ストランド１０の小ループ１１に通される／装填される。尾部は、小さい開口部が残るまで引っ張られる。尾部を組織に通した後、それをラッキングヒッチに通して引っ張るために、縫合糸装填器具６０が追加される。
【００４２】
[0059]例示的な実施形態では、縫合構造１００、２００、３００、４００の可撓性ストランド１０は、超高分子量ポリエチレン（ＵＨＭＷＰＥ）を用いた芯なし編組であるＦｉｂｅｒＷｉｒｅ（登録商標）ＣＬ編組等の編組で本質的に形成された縫合糸である。別の例示的な実施形態では、外側ストランド１０は、ポリエステル又は同様の材料で本質的に形成された縫合糸である。例えば、外側ストランド１０は、芯なし編組若しくはシースの形態でのポリエステル糸（ポリエステルの撚糸）又はポリエステル縫合糸で形成され得、これは、マルチフィラメント、編組、編成、又は製織されたポリエステル構造であり得、ここで、ポリエステルは、単独で、又はその他任意の既知の縫合糸材料と組み合わせて提供される。単に例示的な実施形態では、外側ストランド１０は、ポリエステル約１００％の編組芯なし縫合糸である。
【００４３】
[0060]例示的な縫合構造１００、２００、３００、４００の縫合糸セクションの少なくとも１つ又は全てが、例えば、最終的な縫合糸構造の潤滑性、結節の安定性（security）、柔軟性、取り扱い性（handleability）、又は耐摩耗性を改善するために、ワックス（蜜蝋、石油蝋、ポリエチレンワックス、又はその他）、シリコーン（Ｄｏｗ  Ｃｏｒｎｉｎｇシリコーン流体２０２Ａ又はその他）、シリコーンゴム（結合触媒を伴うＮｕｓｉｌ  Ｍｅｄ  ２２４５、Ｎｕｓｉｌ  Ｍｅｄ  ２１７４、又はその他）、ＰＴＦＥ（テフロン（登録商標）、Ｈｏｓｔａｆｌｏｎ、又はその他）、ＰＢＡ（ポリブチレート酸（polybutylate acid））、エチルセルロース（Ｆｉｌｏｄｅｌ）、又は他のコーティングで（部分的に又は全体的に）コーティングされ得る。
【００４４】
[0061]本開示の外科用構造の細長いテーパ状の領域２５は、可撓性ストランド／縫合糸を、（例えば、Ｌａｓｓｏ器具等の）小さい及び非常に小さい直径のチューブ及び挿管に押し通しながらも、固定デバイス（例えば、ＰｕｓｈＬｏｃｋ（登録商標）アンカーのような無結節縫合糸アンカー等）を用いてしっかりと固定することを可能にする。
【００４５】
[0062]外科用縫合構造１００、２００、３００、４００は、特に、円形、楕円形、長方形、若しくは平面（flat）、又はこのような形状及び幾何学形状の組合せを含む、様々な形状及び幾何学形状の断面を有し得る。構造１００、２００、３００、４００の直径は、一定であるか又は変化し得る。テーパ状の領域２５は、複数の隣接するテーパ状の領域を含み得、領域の各々は、隣接する領域のものとは異なる直径を有する。単に例示的な実施形態では、領域２５は、３つの隣接する領域を備え得、各々が、隣接する領域とは異なるテーパ形状を有する。
【００４６】
[0063]縫合構造１００、２００、３００、４００の繊維の少なくとも一部は、その開示全体が参照により本明細書に組み込まれる、米国特許第６，７１６，２３４号に開示されているＡｒｔｈｒｅｘ  ＦｉｂｅｒＷｉｒｅ（登録商標）縫合糸等の、高強度縫合材料のストランドを含み得、外科医が様々な縫合糸長（various suture lengths）を区別することを支援するためのオプションの着色ストランドを有する。
【００４７】
[0064]外科用縫合構造１００、２００、３００、４００は、回旋腱板修復、アキレス腱修復、膝蓋腱修復、ＡＣＬ／ＰＣＬ再建、股関節及び肩の再建術等の外科的処置において用いられ得る縫合糸用途、並びに、縫合糸アンカー内で又は縫合糸アンカーと共に使用される縫合糸用の用途に（それら自体だけで又は任意の組合せにおいて）適用性を有する。単に例示的な実施形態では、縫合構造１００、２００、３００、４００は、例えば、数ある中でも特に、縫合糸アンカー（ＰｕｓｈＬｏｃｋ（登録商標）及び／又はＳｗｉｖｅＬｏｃｋ（登録商標）縫合糸アンカー等）と使用するために、又は無結節関節鏡視下縫合修復（無結節の単一列回旋腱板修復、又は結節なしで縫合糸を通すステップのみを使用するＳｐｅｅｄＢｒｉｄｇｅ（商標）修復等）のために、結節を結ぶことを伴わない縫合糸用途に用いられ得るが、ニチノールワイヤ又は同様の構造を必要としないので、簡略化されたステップを有する。
【００４８】
[0065]単に例示的な実施形態では、１つ以上の構造１００、２００、３００、４００が、側々閉鎖修復において、第１の組織部分（例えば、第１の軟組織）を第２の組織部分（例えば、第２の軟組織）に接合する（bring together）ために用いられる。構造は、最初に第１の組織部分に通される。尾部（テーパ状の領域２５）は、第２の組織部分の中又はその周りに通され、次いで、テーパ状の端部２５を折り返し、それをシャトリングして係止構造に通すことによって、シャトリングデバイス（装填器具）を使用して係止構造／機構／デバイス（例えば、ループ、アイレット、スリット、又はこれらの組合せ）に通される。次いで、可撓性ストランド１０（縫合糸１０）は、それが引き締められて、閉じた調節可能なループ９９上で所望の張力を達成するまで引っ張られる。可撓性ストランド１０が引き締められるにつれて、（より厚みのある）構造１００、２００、３００、４００の拡大部分６５、１６５は、係止機構（ループ１１、１５、１６６、１０３、１０４）内に引き込まれ、外側ストランド１０が逆戻りするのを防止するために、拡大部５５、１５５、２５５、３５５を、ループ１１、１５、１６６、１０３、１０４の内側表面に（可撓性ストランド１０に）係止する。例示的な実施形態では、拡大部は、張力がかかった状態で縫合糸１０を係合及び係止する複数の突条部／隆起部／棘／突起部である。外側ストランドは、テーパ状であり且つその全長にわたって３つの変化する幅を有する標準的な編組縫合糸であり得る。外側ストランドは、可撓性であり得る。外側ストランド１０は、拡大部５５、１５５、２５５、３５５を有する内側の芯５０が外側ストランド１０内に設けられる前後で、可撓性であり得る。内側ストランド５０は、剛性又は可撓性であり得る。
【００４９】
[0066]図１９は、本開示の方法による軟組織の骨への（又は、軟組織の軟組織への）固定の方法が行われている手術部位の概略図を示す。単に例示的な実施形態では、手術部位は肩であり、組織は、例示的な外科用構造１００を用いて関節窩８０に取り付けられるべき関節唇９０である。簡潔さのために、以下の実施形態は、例示的な構造１００を参照して説明されるが、本開示は、外科用構造１００、２００、３００、４００の任意のもの（単独又は任意の数で、それら自体だけで用いられ、また、これらの外科用構造の任意の組合せでも用いられる）への適用性を有する。
【００５０】
[0067]関節唇の関節窩への固定等の、軟組織の骨への固定は、典型的に、手術部位にアクセスするための切開部の形成と、次いで、軟組織の再取り付けとを伴う。軟組織が骨に取り付けられるとき、外科医は、骨にドリルで穴を開け、骨アンカー等の固定デバイスを挿入する。典型的に、骨アンカーは、金属、複合材、プラスチック、又は生体吸収性材料で形成され、螺子山又は棘によって所定の位置に保持される。アンカーが用いられる場合、アンカーは、典型的に、その場合に構造１００が通される／渡される（threaded/passed）アイレットを含む。
【００５１】
[0068]シンチステッチの形成（図１９）及びループ１１の内側表面エリアを貫通する拡大部５５、１５５、２５５、３５５を有する構造の係止後、縫合構造１００は、テーパ状の端部領域２５をアンカーのアイレット（図示せず）に通し、次いで、縫合構造１００を有する無結節固定デバイス７０を骨内に留めることによって、１つ以上の固定デバイス（図１９のアンカー７０のような１つ以上の縫合糸アンカー等）を用いて骨８０内に留められ、最終的な修復６００（図１９）を得ることができる。
【００５２】
[0069]可撓性ストランドはまた、無結節又はそうでないかにかかわらず、任意の数の固定デバイス、例えば、１つの固定デバイスの代わりに、２つのアイレットを有する２つの無結節固定デバイス７０等の２つの固定デバイスを用いることによって留められ得る。この技法は、骨における異なる位置で複数回繰り返され得る（即ち、関節唇の周りの異なる位置における複数のシンチステッチ）。
【００５３】
[0070]縫合構造１００、２００、３００、４００を用いた、第１の組織の第２の組織への固定の方法が、とりわけ、（i）縫合構造１００、２００、３００、４００を第１の組織の中又はその周りに通すステップと、縫合構造は、複数の拡大部５５、１５５、２５５、３５５を有する内側ストランド５０を収容する外側ストランド１０を備え、（ii）組織の周りにループ状になったシンチを形成することと、少なくとも１つの拡大部５５、１５５、２５５、３５５を係止構造１１、１５、１６６、１０３、１０４の内側表面に係止することとによって、縫合構造を係止するステップと、を備える。方法は、（iii）縫合構造１００、２００、３００、４００を無結節固定デバイス７０に取り付けるステップと、（iv)取り付けられた縫合構造１００、２００、３００、４００を有する無結節固定デバイス７０を第２の組織内に配置するステップと、を更に備え得る。方法は、（v）縫合構造１００、２００、３００、４００のテーパ状の端部２５を、無結節固定デバイスのアイレットに通すステップを更に備え得る。アイレットは、閉じていても（閉じた開口部）、開いていてもよい（即ち、フォーク状の開口部）。
【００５４】
[0071]縫合構造１００、２００、３００、４００を用いた、第１の組織の第２の組織への固定の方法が、とりわけ、（i）縫合構造１００、２００、３００、４００を第１の組織の中又はその周りに通すステップと、縫合構造は、第１の端部と第２の端部とを有する、１本の外側ストランド１０から成り、係止構造１１、１５、１６６、１０３、１０４が、第１の端部に形成され、テーパ状の領域２５が、第２の端部に形成され、接合部／拡大部領域６５、１６５が、第１の端部及び係止構造１１、１５、１６６、１０３、１０４に隣接して位置し、ここで、拡大部領域（又は係止構造１１、１５、１６６、１０３、１０４に隣接する領域）は、外側ストランド１０が逆戻りするのを防止する複数の拡大部を含み、シャトリングループ６１付きのシャトリングデバイス６０が、外側ストランド１０に取り付けられており、（ii）可撓性ストランドのテーパ状の端部２５をシャトリングループ６１に通すステップと、（iii）可撓性ストランドが組織８０、９０の周りにシンチングループ９９を形成し、拡大部５５、１５５、２５５、３５５を係止構造１１、１５、１６６、１０３、１０４の内側表面に係止することを可能にするために、シャトリングデバイスを引っ張るステップと、を備える。方法は、（iv）縫合構造１００、２００、３００、４００のテーパ状の端部２５を、無結節固定デバイスのアイレットに通すことによって、縫合構造１００、２００、３００、４００を無結節固定デバイス７０に取り付けるステップと、（v）取り付けられた縫合構造１００、２００、３００、４００を有する無結節固定デバイス７０を第２の組織内に配置するステップと、を更に備え得る。
【００５５】
[0072]縫合構造１００、２００、３００、４００は、数ある中でも特に、回旋腱板修復、アキレス腱修復、及び膝蓋腱修復等の外科的処置において用いられ得る。本発明は、特定の用途（即ち、肩修復における関節唇の関節窩への固定）を参照して説明されてきたが、本発明の縫合糸構造は、任意のタイプの修復（肩修復に加えて任意の修復）への適用性を有し、従って、本発明は、この単に例示的な実施形態によって限定されないことが理解されなければならない。
【００５６】
[0073]単に例示的な実施形態では、固定デバイス７０は、米国特許第７，３２９，２７２号に開示されているツーピースＡｒｔｈｒｅｘ  ＰｕｓｈＬｏｃｋ（登録商標）アンカー、又は２０１１年９月６日に発行された米国特許第８，０１２，１７４号、２０１５年４月１４日に発行された米国特許第９，００５，２４６号、及び２０１３年１１月７日に公開された米国特許出願公開第２０１３／０２９６９３６号に開示されているＡｒｔｈｒｅｘ  ＳｗｉｖｅＬｏｃｋ（登録商標）アンカー等の、無結節縫合糸アンカーであり、これらの開示全てが、その全内容の参照により本明細書に完全に組み込まれている。
【００５７】
[0074]縫合構造１００、２００、３００、４００はまた、有結節固定デバイス、例えば、有結節アンカーと共に用いられ得る。従って、本開示は、固定デバイス７０等の無結節固定デバイスと共に縫合構造１００、２００、３００、４００を使用することに限定されず、本開示は、無結節又は有結節の、任意のタイプの固定デバイス、又は、無結節固定デバイスと有結節固定デバイスの組合せと共に、縫合構造１００、２００、３００、４００を使用することを企図する。本開示の例示的な構造は、ＳｐｅｅｄＢｒｉｄｇｅ（商標）及びＳｐｅｅｄＦｉｘ（商標）修復技法を用いた無結節回旋腱板修復等の様々な組織修復、又は関節鏡視下回旋腱板修復における単一列、二列、若しくは多列構造の形成のために無結節固定デバイスを用いる、軟組織の骨への同様の再取り付け技法、又はＡＣ関節再建及び組織貫通（tissue pull-through）が懸念され得る他のエリアのような高度な要件が求められる用途（high demand applications）において用いられ得る。
【００５８】
[0075]ストランド１０、５０は、マルチフィラメント、編組、編成、製織された縫合糸等、又は、超高分子量ポリエチレン（ＵＨＭＷＰＥ）若しくはＦｉｂｅｒＷｉｒｅ（登録商標）縫合糸（米国特許第６，７１６，２３４号に開示されており、その開示全体が、参照により本明細書に組み込まれている）の繊維を含む、任意の既知の縫合糸構造で作製され得る。ＦｉｂｅｒＷｉｒｅ（登録商標）縫合糸は、複数本の（lengths of）縫合糸材料を形成するために、天然又は合成の少なくとも１つの他の繊維と編組された、高度な高強度繊維材料、即ち、Ｓｐｅｃｔｒａ（Ｈｏｎｅｙｗｅｌｌ）及びＤｙｎｅｅｍａ（ＤＳＭ）という商品名で販売されている、超高分子量ポリエチレン（ＵＨＭＷＰＥ）で形成されている。好ましいＦｉｂｅｒＷｉｒｅ（登録商標）縫合糸は、中空編組構造内に芯を含み、芯は、ＵＨＭＷＰＥの撚糸である。ストランド１０、５０はまた、縫合糸テープ、例えば、Ａｒｔｈｒｅｘ  ＦｉｂｅｒＴａｐｅ（登録商標）で形成され得、これは、編組され、断面が矩形状であり、且つ、その開示全体が参照により本明細書に組み込まれている、米国特許第７，８９２，２５６号に開示されているような、高強度縫合糸テープである。外科用構造１００、２００、３００、４００は、当技術分野で知られている任意のタイプの可撓性材料又は縫合糸と共に使用され得る。
【００５９】
[0076]ストランドはまた、意図される用途に応じて、剛性材料、又は、剛性材料と可撓性材料の組合せで形成され得る。ストランドはまた、コーティングされ、及び／又は異なる色で提供され得る。ストランドにはまた、色付きのトレーシングストランドが設けられ、又はその他の方法で、構造の残りの要素と視覚的に対照をなし得、これは、例えば、無地、単色であり得るか、又は異なるトレーシングパターンを示し得る。外科用構造１００、２００、３００、４００の様々な構造要素は、視覚的にコード化され得、縫合糸の脚部（legs）の識別及び取り扱いをより単純にする。その場での（in situ）縫合糸の容易な識別は、外科的処置において、特に、内視鏡検査法及び腹腔鏡検査法等の、関節鏡視下手術中に有利である。
【００６０】
[0077]外科用構造１００、２００、３００、４００は、例えば、縫合糸若しくはテープの潤滑性、結節の安定性、柔軟性、取り扱い性、又は耐摩耗性を改善するために、ワックス（蜜蝋、石油蝋、ポリエチレンワックス、又はその他）、シリコーン（Ｄｏｗ  Ｃｏｒｎｉｎｇシリコーン流体２０２Ａ又はその他）、シリコーンゴム（結合触媒を伴うＮｕｓｉｌ  Ｍｅｄ  ２２４５、Ｎｕｓｉｌ  Ｍｅｄ  ２１７４、又はその他）、ＰＴＦＥ（テフロン、Ｈｏｓｔａｆｌｏｎ、又はその他）、ＰＢＡ（ポリブチレート酸（polybutylate acid））、エチルセルロース（Ｆｉｌｏｄｅｌ）、又は他のコーティングで（部分的に又は全体的に）コーティングされ得る外科用縫合糸又は同様の材料を含み得る。
【００６１】
[0078]好ましくは、細長いテーパ状の端部２５は、例えば、プラスチック等の材料でコーティング、含浸、又は補強された（stiffened）非常に細い端部を有し得る。
【００６２】
[0079]開示される縫合構造は、浴室排水チェーンと同様の、定義された間隔で固定された「ラチェット」を有する芯縫合糸の中心ストランドを有する。好ましくは、ラチェット／拡大部は、シンチに向かってテーパ状の端部を有して非対称であり得る。適切に定義されたワーキングディスタンス長の後、縫合糸は、有芯＃２  ＦｉｂｒｅＷｉｒｅ（登録商標）と同じになり、次いで、シンチ機構における装填を容易にするために、より細い２．０  ＦｉｂｅｒＷｉｒｅ（登録商標）までテーパ状にされる。
【００６３】
[0080]上述された本開示の縫合構造１００、２００、３００、４００は、上述されたように、それら自体だけで用いられ、そしてまた、以下に詳述される縫合糸アンカーアセンブリ１１１、１１２、１１３、１１４、１１５、１１６、１１７を形成するために、様々な軟質及び／又は硬質のアンカーデバイスと共に用いられ得る。
【００６４】
[0081]例えば、図２０は、固定デバイス又はアンカー７１と、係止ループ１００ａによってアンカー本体に結合された例示的な縫合糸構造１００とを有する、縫合糸アンカーアセンブリ１１１を示す。係止ループ１００ａは、アンカー７１の上部に位置するが、例えば、据え付けの結節（static knot）７２によって、アンカー本体に固定されている。
【００６５】
[0082]図２１は、固定デバイス又はアンカー７１と、アンカー本体に結合された例示的な縫合糸構造１００とを含む、縫合糸アンカーアセンブリ１１２を示す。縫合糸構造１００は、アンカー７１の本体内に、且つ、アンカー本体の遠位端に位置するポスト７３又は同様の構造の周りに延在する。凹凸のある縫合糸１００が（矢印「Ａ１」（図２１）の方向等の引き締め方向に引っ張ることによって）引き込まれると、凹凸のある縫合糸は、アンカー本体に／アンカー本体内部に係止される。アンカー７１は、骨穴又は開口部内に予め配置され得る。
【００６６】
[0083]図２２は、ボタン７５の形態での固定デバイス７５と、ボタン７５に結合された例示的な縫合糸構造１００とを含む、縫合糸アンカーアセンブリ１１３を示す。ボタン７５は、構造１００の拡大部５５と共に、縫合構造１００をしっかりと係止し得る２つの貫通開口部又は開口７５ａを有して示されているが、本開示は、任意の形状／構成（即ち、楕円形、円形、長円形（elliptical）、Ｓ字形のボタン等）を有し、且つ、例示的な構造１００の少なくとも一部を収容し得る任意の数の開口部／穴を有する、任意のデバイス／ボタンを企図する。
【００６７】
[0084]図２３は、例示的な縫合糸アンカーアセンブリ１１４を形成するために、無結節アンカーに結合された例示的な縫合糸構造１００を示す。凹凸のある縫合糸（縫合糸構造）１００は、無結節アンカーの一部として、無結節アンカーの本体内に捕捉されている。縫合糸構造１００は、据え付けの結節７２によってアンカー本体に固定的に留められており、アンカーの本体内にループ２９０ａ及び接合部６５を形成する。接合部は、シャトリングデバイス（上述されたループ６１付きのシャトリングデバイス６０等）を用いることによって形成され得る。ループ２９０ａは、調節可能な周囲を有し、アンカー７１の本体内に部分的に位置する、閉じた可撓性の無結節の調節可能なループであり得る。接合部６５は、完全にアンカー７１の本体内に位置し得る。縫合糸構造１００は、無結節アンカー本体の遠位端に位置するポスト７３（又は同様の構造）の周りにループ状にされ得る。
【００６８】
[0085]縫合糸アンカーアセンブリ１１５（図２４）は、向上した組織固定を提供するために、アンカー本体７１と骨との間に位置する、即ち、アンカーの外側表面上に位置する、例示的な縫合糸構造１００を含む。
【００６９】
[0086]図２５及び図２６は、第１の組織９０を第２の組織８０に取り付ける、例えば、軟組織９０を骨８０に取り付けるために用いられる、例示的な縫合糸アンカーアセンブリ１１１及び１１４をそれぞれ示す。本開示の縫合糸アンカーアセンブリ１１１、１１２、１１３、１１４、１１５は、第１の組織の第２の組織への確実な固定（positive fixation）を保証しながら、単純化された組織修復を提供する。
【００７０】
[0087]縫合糸構造１００（凹凸のある縫合糸１００）が予め装填されたアンカー７１で形成された例示的な縫合糸アンカーアセンブリ１１１が、骨８０内に形成された予めドリルで開けられた穴／ソケット／開口部８２内に設置される。アンカー７１の骨内への挿入は、好ましくは、その中に縫合糸構造１００をしっかりと固定するために、密な嵌合（tight fit）を形成する。一旦縫合糸アンカーアセンブリ１１１が骨穴８２内に設置されると、縫合糸構造１００の組織固定端部１００ｂは、骨穴８２の外側に残る。組織固定端部１００ｂは、軟組織９０及びループ１００ａに通され、次いで、引き締め方向Ａ１（図２５）において、骨８０から引き離され、拡大部５５、１５５、２５５、３５５が、デバイスを所定の位置に係止し、縫合構造１００のストランド１０／５０が反対方向（即ち、緩み方向）に動くことを防止し、最終的な修復１９０を形成することを可能にする。
【００７１】
[0088]図２６は、最終的な修復２９０を示し、ここで、縫合糸アンカーアセンブリ１１４は、縫合糸構造１００の組織固定端部１００ｂが骨穴８２の外側に残っており、組織９０の周りに、閉じた無結節の可撓性の調節可能なループ２９０ａを形成している状態で、骨穴８２内に設置される。閉じた無結節の調節可能なループ２９０ａは、縫合糸端部がＡ１の反対方向、即ち、引き締め方向Ａ１とは反対の方向に動くことを防止する拡大部５５、１５５、２５５、３５５によって所定の位置に係止される。
【００７２】
[0089]上述された本開示の縫合構造１００、２００、３００、４００は、それら自体だけで、及び／又は上述されたような硬質本体を有するアンカーと共に、そしてまた、図２７を参照して以下に詳述される例示的な軟質アンカーアセンブリ１１６を形成するために、軟質アンカーと共に用いられ得る。
【００７３】
[0090]図２７は、縫合糸構造１００が予め装填された軟質の縫合糸アンカー４０を示す。軟質の縫合糸アンカー４０は、その開示全体が参照により本明細書に完全に組み込まれている、Ｄｒｅｙｆｕｓｓ他の米国特許第９，４６３，０１１号に開示されているような管状シースを含み得る軟質アンカーである。管状シース４０は、縫合糸又はポリエステル又は同様のもの等の可撓性材料で形成され得、製織、編組、又は編成された構造であり得、及び／又は、糸、繊維、フィラメント、縫合糸、編組、若しくは同様の材料、又はこれらの組合せで形成され得る。管状シース４０は、縫合糸構造１００が出る２つの対向する開口端を有する。縫合糸構造１００の一方又は両方の端部が、これら端部を軟組織の中及び／又はその周りに通すことと、軟組織を骨に留めることとを可能にするために、シャトリングデバイス、別の固定デバイス、ループ等のような様々な構造に結合され得る。
【００７４】
[0091]Ｄｒｅｙｆｕｓｓ他の米国特許第９，４６３，０１１号に詳述されているように、縫合糸構造１００が予め装填された管状シースは、例えば、管状シースが骨穴内に詰め込まれ（bunches up）、従って、骨穴内の所定の位置にしっかりと固定されるように、骨内に形成された予めドリルで開けられた穴／ソケット／開口部内に挿入及び留められていることによって、骨内に挿入及び留められる。管状シース４０の骨内への挿入及び設置を容易にするために、フォーク状の先端部付きの挿入器具及び／又はマレット器具が用いられ得る。
【００７５】
[0092]一旦管状シース４０が骨穴に挿入されると、縫合糸構造１００の少なくとも一方の端部が軟組織の中／周りに通されて、軟組織９０の周りでの閉じた無結節の可撓性のある調節可能なループの形成、並びにデバイスを所定の位置に係止し、構造１００のストランド１０／５０が反対方向（即ち、緩み方向）に動くことを防止するための、拡大部５５、１５５、２５５、３５５の係合を可能にする。拡大部５５、１５５、２５５、３５５はまた、最終的な修復を所定の位置に係止するために、管状シース４０と係合して、軟組織の骨への取り付けを確実にし得る。ストランド１０／５０に対する拡大部５５、１５５、２５５、３５５の拡大された寸法が、最終的な修復が緩むのを防止する。
【００７６】
[0093]図２８は、本開示の更に別の例示的な縫合糸アンカーアセンブリ１１７を示す。前述の実施形態と同様に、また簡潔さのために、縫合糸アンカーアセンブリ１１７は、例示的な構造１００を参照して説明されるが、本開示は、任意の組合せでの、及び／又はそれら自体だけでの、及び／又は他の追加の固定デバイスを有する、構造１００、２００、３００、４００のうちの任意のものへの適用性を有する。以下に詳述されるように、例示的なアンカーアセンブリ１１７は、予め配置されたアンカー内に装填され、次いで、内部で張力をかけられ、スプラインインサート（splined insert）で固定される、１つ以上の凹凸のある縫合糸を含む。
【００７７】
[0094]図２８の縫合糸アンカーアセンブリ１１７は、固定デバイス又はアンカー７１ａと、ループ１１ａによってアンカー本体に結合された例示的な縫合糸構造１００とを含む。ループ１１ａは、アンカー７１ａの本体内で、アンカー７１ａの本体の遠位端に位置する。ループ１１ａは、アンカー本体内にインサート成形され得、及び／又は、例えば、据え付けの結節７２ａによって、アンカー本体に固定され得る。
【００７８】
[0095]例示的な縫合糸構造１００は、デバイス７１ａのアンカー本体に結合される。縫合糸構造１００は、アンカー７１ａの本体内で、アンカー本体の遠位端に位置するループ１１ａを通って延在する。図２８に示されるように、凹凸のある縫合糸１００は、ループ１１ａに通され、アンカー本体内に位置し且つ互いに連通している第１及び第２の縦通路７４、７４ａに沿って延在する。第１の通路７４の直径Ｄ１は、第２の通路７４ａの直径Ｄ２よりも大きい。第１及び第２の通路７４、７４ａは、アンカー７１のアンカー本体の縦軸に沿って延在し得、オプションで、互いに対して同心円状に位置し得る。
【００７９】
[0096]アセンブリ１１７の縫合糸構造１００は、オプション及び追加として、係止要素、例えば、螺子山付き本体７３ｂから延在している複数のアーム／脚部／プロング７３ａが設けられたインサート７３で、留められ得る。インサート７３の本体７３ｂは、ドライバ７６の最遠位螺子山付き端部と嵌合して係合するように設計される。インサート７３は、アンカー７１のアンカー本体内で展開可能（deployable）であり得る。例えば、インサート７３には、展開可能又は拡張可能なアーム／脚部／プロング７３ａが設けられ得、これは、第１のポジションでは、第１の未展開又は閉じた状態にあり、第２のポジションでは、第２の展開又は開いた状態にある。
【００８０】
[0097]単に例示的な実施形態では、インサート７３には、アーム／脚部／プロング７３ａが設けられ、これは、第１のポジションにあり且つ第２の通路７４ａを通じて挿入されるとき、第１の（未展開又は閉じた）状態にあり、また、第２のポジションにあり且つ第１の通路７４内に挿入されたとき、第２の（展開又は開いた）状態にある。展開ポジションにあるとき、アーム／脚部／プロング７３ａは、第１の通路７４内に完全に位置し、第１の通路７４の縦方向の内壁に、そしてまた、第１の通路７４内に位置する凹凸のある縫合糸１００の部分にも、側圧を加える。インサート７３の本体７３ｂは、第２の通路７４ａの直径Ｄ２にほぼ等しい外径を有する。展開状態にあるとき、アーム／脚部／プロング７３ａの最も外側の直径は、第１の通路７４の直径Ｄ１にほぼ等しい。このようにして、インサート７３は、縫合糸構造１００を所定の位置に内部で固定及び係止し、即ち、凹凸のある縫合糸は、アンカー本体に／アンカー本体内部に係止される。拡大部５５、１５５、２５５、３５５は、インサート７３によって所定の位置に係止され（即ち、第１の通路７４の内壁と、インサート７３のアーム／脚部／プロング７３ａとの間に係止され）、最終的な修復が緩むのを防止する。アンカー７１は、骨穴又は開口部内に予め配置され得る。この例示的な実施形態では、縫合糸構造１００はループ１１ａとインサート７３との両方によって、アンカー７１に固定される及び留められる／係止される。
【００８１】
[0098]「高強度縫合糸」という用語は、任意の細長い可撓性部材として定義され、材料及びサイズの選択は、特定の用途に依存する。限定ではなく例示を目的として、本明細書で使用される「縫合糸」という用語は、ケーブル、フィラメント、縫い糸、ワイヤ、織物、又は体内での組織固定に好適なその他任意の可撓性部材であり得る。
【図１】
2021530317.tif 000003
【図２】
2021530317.tif 000004
【図３】
2021530317.tif 000005
【図４】
2021530317.tif 000006
【図５】
2021530317.tif 000007
【図６】
2021530317.tif 000008
【図７】
2021530317.tif 000009
【図８Ａ】
2021530317.tif 000010
【図８Ｂ】
2021530317.tif 000011
【図８Ｃ】
2021530317.tif 000012
【図９】
2021530317.tif 000013
【図１０】
2021530317.tif 000014
【図１１】
2021530317.tif 000015
【図１２】
2021530317.tif 000016
【図１３】
2021530317.tif 000017
【図１４】
2021530317.tif 000018
【図１５】
2021530317.tif 000019
【図１６】
2021530317.tif 000020
【図１７】
2021530317.tif 000021
【図１８】
2021530317.tif 000022
【図１９】
2021530317.tif 000023
【図２０】
2021530317.tif 000024
【図２１】
2021530317.tif 000025
【図２２】
2021530317.tif 000026
【図２３】
2021530317.tif 000027
【図２４】
2021530317.tif 000028
【図２５】
2021530317.tif 000029
【図２６】
2021530317.tif 000030
【図２７】
2021530317.tif 000031
【図２８】
2021530317.tif 000032
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
縫合構造であって、
第１の端部と、テーパ状の端部部分の形態における第２の端部とを有する芯なし縫合糸と、
複数の拡大部を有する内側フィラメントと、前記内側フィラメント及び前記複数の拡大部は前記芯なし縫合糸によって完全に覆われ、
前記第１の端部に係止機構と、
を備える、縫合構造。
【請求項２】
前記複数の拡大部は、前記芯なし縫合糸の外側表面を貫通しない、請求項１に記載の縫合構造。
【請求項３】
前記複数の拡大部は、棘、結節、ビーズ、突起部、又はこれらの組合せである、請求項１に記載の縫合構造。
【請求項４】
前記複数の拡大部は、前記縫合構造の係止を可能にする、請求項１に記載の縫合構造。
【請求項５】
前記複数の拡大部の各々は、前記内側フィラメントの外径よりも大きい外径を有する、請求項１に記載の縫合構造。
【請求項６】
前記複数の拡大部の各々は、前記芯なし縫合糸の外径よりも大きい外径を有する、請求項１に記載の縫合構造。
【請求項７】
前記芯なし縫合糸は、編み合わされた超高分子量ポリエチレンの撚糸で形成された芯なし編組又はシースである、請求項１に記載の縫合構造。
【請求項８】
前記芯なし縫合糸は、ポリエステル糸で形成された芯なし編組又はシースである、請求項１に記載の縫合構造。
【請求項９】
前記芯なし縫合糸は、前記第１の端部に閉じたループが設けられている、請求項１に記載の縫合構造。
【請求項１０】
前記閉じたループは、接合部及び前記閉じたループを形成するために、前記第１の端部を前記芯なし縫合糸に通して接合することによって形成される、請求項９に記載の縫合構造。
【請求項１１】
前記閉じたループは、ラッキングヒッチループである、請求項９に記載の縫合構造。
【請求項１２】
前記閉じたループに取り付けられたシャトリングデバイスを更に備える、請求項９に記載の縫合構造。
【請求項１３】
前記シャトリングデバイスは、ニチノールループである、請求項１２に記載の縫合構造。
【請求項１４】
前記テーパ状の端部部分は、３つの異なる幅を有する、請求項１に記載の縫合構造。
【請求項１５】
前記芯なし縫合糸上に設けられたコーティングを更に備える、請求項１に記載の縫合構造。
【請求項１６】
前記コーティングは、シリコンコーティング又はコラーゲンコーティングである、請求項１５に記載の縫合構造。
【請求項１７】
前記芯なし縫合糸は、無結節固定デバイスの少なくとも１つのアイレットを通る、請求項１に記載の縫合構造。
【請求項１８】
前記無結節固定デバイスは、スイベルアンカー又はプッシュロックアンカーである、請求項１７に記載の縫合構造。
【請求項１９】
前記無結節固定デバイスは、アンカー本体と、前記アンカー本体に回転可能に取り付けられたアンカー先端部とを備え、前記アンカー本体は、前記固定デバイスを骨内に留めるために、前記アンカー先端部上に挿入されるように構成されている、請求項１７に記載の縫合構造。
【請求項２０】
前記アンカー本体は、カニューレ状干渉螺子である、請求項１９に記載の縫合構造。
【請求項２１】
前記芯なし縫合糸は、アンカー本体に結合される、請求項１に記載の縫合構造。
【請求項２２】
前記アンカー本体は、軟質である、請求項２１に記載の縫合構造。
【請求項２３】
前記アンカー本体は、硬質である、請求項２１に記載の縫合構造。
【請求項２４】
軟組織の固定の方法であって、
外科用構造のテーパ状の端部を、軟組織に通し、前記外科用構造の前記テーパ状の端部とは反対側の端部におけるループに通すことと、前記外科用構造は、前記ループを形成する外側ストランドと、完全に前記外側ストランド内に位置する内側ストランドとを備え、ここにおいて、前記内側ストランドには、前記内側ストランドの外径よりも大きい外径を有する複数の拡大部が設けられており、
前記組織の周りに無結節の調節可能なループを形成し、前記複数の拡大部のうちの少なくとも１つを前記ループ内に係止するために、前記テーパ状の端部を引っ張ることと、
を備える方法。
【請求項２５】
前記テーパ状の端部を無結節固定デバイスに取り付けることと、前記無結節固定デバイスと前記テーパ状の端部を固定することと、を更に備える、請求項２４に記載の方法。
【請求項２６】
前記外側ストランドは、芯なし縫合糸である、請求項２４に記載の方法。
【請求項２７】
前記テーパ状の端部を、前記ループに取り付けられたシャトリングデバイスのアイレットに通すことと、前記テーパ状の端部が前記ループを通ることを可能にするために、前記シャトリングデバイスを引っ張ることと、を更に備える、請求項２４に記載の方法。
【請求項２８】
前記軟組織は、回旋腱板である、請求項２４に記載の方法。
【手続補正２】
【補正対象書類名】明細書
【補正対象項目名】００８１
【補正方法】変更
【補正の内容】
【００８１】
[0098]「高強度縫合糸」という用語は、任意の細長い可撓性部材として定義され、材料及びサイズの選択は、特定の用途に依存する。限定ではなく例示を目的として、本明細書で使用される「縫合糸」という用語は、ケーブル、フィラメント、縫い糸、ワイヤ、織物、又は体内での組織固定に好適なその他任意の可撓性部材であり得る。
以下に本願の出願当初の特許請求の範囲に記載された発明を付記する。
［１］  縫合構造であって、
第１の端部と、テーパ状の端部部分の形態における第２の端部とを有する芯なし縫合糸と、
複数の拡大部を有する内側フィラメントと、前記内側フィラメント及び前記複数の拡大部は前記芯なし縫合糸によって完全に覆われている、
を備える、縫合構造。
［２］  前記複数の拡大部は、前記芯なし縫合糸の外側表面を貫通しない、［１］に記載の縫合構造。
［３］  前記複数の拡大部は、棘、結節、ビーズ、突起部、又はこれらの組合せである、［１］に記載の縫合構造。
［４］  前記複数の拡大部は、前記縫合構造の係止を可能にする、［１］に記載の縫合構造。
［５］  前記複数の拡大部の各々は、前記内側フィラメントの外径よりも大きい外径を有する、［１］に記載の縫合構造。
［６］  前記複数の拡大部の各々は、前記芯なし縫合糸の外径よりも大きい外径を有する、［１］に記載の縫合構造。
［７］  前記芯なし縫合糸は、編み合わされた超高分子量ポリエチレンの撚糸で形成された芯なし編組又はシースである、［１］に記載の縫合構造。
［８］  前記芯なし縫合糸は、ポリエステル糸で形成された芯なし編組又はシースである、［１］に記載の縫合構造。
［９］  前記第１の端部に係止機構を更に備える、［１］に記載の縫合構造。
［１０］  前記芯なし縫合糸は、前記第１の端部に閉じたループが設けられている、［１］に記載の縫合構造。
［１１］  前記閉じたループは、接合部及び前記閉じたループを形成するために、前記第１の端部を前記芯なし縫合糸に通して接合することによって形成される、［１０］に記載の縫合構造。
［１２］  前記閉じたループは、ラッキングヒッチループである、［１０］に記載の縫合構造。
［１３］  前記閉じたループに取り付けられたシャトリングデバイスを更に備える、［１０］に記載の縫合構造。
［１４］  前記シャトリングデバイスは、ニチノールループである、［１３］に記載の縫合構造。
［１５］  前記テーパ状の端部部分は、３つの異なる幅を有する、［１］に記載の縫合構造。
［１６］  前記芯なし縫合糸上に設けられたコーティングを更に備える、［１］に記載の縫合構造。
［１７］  前記コーティングは、シリコンコーティング又はコラーゲンコーティングである、［１６］に記載の縫合構造。
［１８］  前記芯なし縫合糸は、無結節固定デバイスの少なくとも１つのアイレットを通る、［１］に記載の縫合構造。
［１９］  前記無結節固定デバイスは、スイベルアンカー又はプッシュロックアンカーである、［１８］に記載の縫合構造。
［２０］  前記無結節固定デバイスは、アンカー本体と、前記アンカー本体に回転可能に取り付けられたアンカー先端部とを備え、前記アンカー本体は、前記固定デバイスを骨内に留めるために、前記アンカー先端部上に挿入されるように構成されている、［１８］に記載の縫合構造。
［２１］  前記アンカー本体は、カニューレ状干渉螺子である、［２０］に記載の縫合構造。
［２２］  前記芯なし縫合糸は、アンカー本体に結合される、［１］に記載の縫合構造。
［２３］  前記アンカー本体は、軟質である、［２２］に記載の縫合構造。
［２４］  前記アンカー本体は、硬質である、［２２］に記載の縫合構造。
［２５］  軟組織の固定の方法であって、
外科用構造のテーパ状の端部を、軟組織に通し、前記外科用構造の前記テーパ状の端部とは反対側の端部におけるループに通すことと、前記外科用構造は、前記ループを形成する外側ストランドと、完全に前記外側ストランド内に位置する内側ストランドとを備え、ここにおいて、前記内側ストランドには、前記内側ストランドの外径よりも大きい外径を有する複数の拡大部が設けられており、
前記組織の周りに無結節の調節可能なループを形成し、前記複数の拡大部のうちの少なくとも１つを前記ループ内に係止するために、前記テーパ状の端部を引っ張ることと、
を備える方法。
［２６］  前記テーパ状の端部を無結節固定デバイスに取り付けることと、前記無結節固定デバイスと前記テーパ状の端部を固定することと、を更に備える、［２５］に記載の方法。
［２７］  前記外側ストランドは、芯なし縫合糸である、［２５］に記載の方法。
［２８］  前記テーパ状の端部を、前記ループに取り付けられたシャトリングデバイスのアイレットに通すことと、前記テーパ状の端部が前記ループを通ることを可能にするために、前記シャトリングデバイスを引っ張ることと、を更に備える、［２５］に記載の方法。
［２９］  前記軟組織は、回旋腱板である、［２５］に記載の方法。
【国際調査報告】
2021530317.tif 000033